(57)【特許請求の範囲】
【請求項１】
原稿画像を照明して得られる画像光を所定倍率で結像する結像レンズ系と、
この結像レンズ系により得られた画像光を受光して、受光した画像光の光強度に対応する画像信号を出力する光電変換装置と、
この光電変換装置が出力する前記画像信号を増幅する増幅装置と、
原稿画像を照明する照明装置と、
この照明装置を原稿画像に沿って、移動する照明装置移動機構と、
複写倍率を設定する入力装置と、
この入力装置により設定された複写倍率が第１の複写倍率である場合には、前記照明装置が放射する光の光強度を第１の光強度にし、かつ前記増幅装置のゲインを第１のゲインに設定することによって前記画像信号を所定の大きさにし、前記入力装置により設定される複写倍率が前記第１の複写倍率よりも大きい第２の複写倍率である場合には前記照明装置が放射する光の光強度を前記第１の光強度よりも小さい第２の光強度にし、かつ前記増幅装置のゲインを前記第１のゲインよりも大きい第２のゲインに設定することによって前記画像信号を前記所定の大きさにするとともに、前記照明装置移動機構が前記照明装置を移動する速度を、前記第２の複写倍率に対応する速度に低減するよう設定動作を行う制御装置と、
前記光電変換装置により得られた画像信号に対応する画像を像担持体に静電的に記録する露光装置と、
この露光装置により像担持体に形成された静電像を現像する現像装置と、
を有する画像形成装置。
【請求項２】
原稿画像を照明して得られる画像光を所定倍率で結像する結像レンズ系と、
この結像レンズ系により得られた画像光を受光して、受光した画像光の光強度に対応する画像信号を出力する光電変換装置と、
この光電変換装置が出力する前記画像信号を増幅する増幅装置と、
原稿画像を照明する照明装置と、
この照明装置を原稿画像に沿って、移動する照明装置移動機構と、
複写倍率を設定する入力装置と、
この入力装置により設定された複写倍率が１００％を越えない第１の複写倍率である場合は前記照明装置が放射する光の光強度を第１の光強度にし、かつ前記増幅装置のゲインを第１のゲインに設定することによって前記画像信号を所定の大きさにし、前記入力装置により設定される複写倍率が前記第１の複写倍率よりも大きい第２の複写倍率である場合は前記照明装置が放射する光の光強度を前記第１の光強度よりも小さい第２の光強度にし、かつ前記増幅装置のゲインを前記第１のゲインよりも大きい第２のゲインに設定することによって前記画像信号を前記所定の大きさにするとともに、前記照明装置移動機構が前記照明装置を移動する速度を、前記第２の複写倍率に対応する速度に低減するよう前記設定動作を行う制御装置と、
前記光電変換装置により得られた画像信号に対応する画像を像担持体に静電的に記録する露光装置と、
この露光装置により像担持体に形成された静電像を現像する現像装置と、
を有する画像形成装置。
【請求項３】
原稿画像を照明して得られる画像光を所定倍率で結像する結像レンズ系と、
この結像レンズ系により得られた画像光を受光して、受光した画像光の光強度に対応する画像信号を出力する光電変換装置と、
この光電変換装置が出力する前記画像信号を増幅する増幅装置と、
原稿画像を照明する照明装置と、
この照明装置を原稿画像に沿って、移動する照明装置移動機構と、
複写倍率を設定する入力装置と、
この入力装置により設定された複写倍率が１００％を越えない第１の複写倍率である場合は前記照明装置が放射する光の光強度を第１の光強度にすることによって前記画像信号を所定の大きさにし、前記入力装置により設定される複写倍率が前記第１の複写倍率よりも大きい第２の複写倍率である場合は設定された複写倍率を複数の段階に区分して得られるステップに応じて前記照明装置が放射する光の光強度を複写倍率が大きくなるにつれて光強度が少なくなるように低減し、かつ前記増幅装置のゲインを前記ステップ毎に次第に増大することによって前記画像信号を前記所定の大きさにするとともに、前記照明装置移動機構が前記照明装置を移動する速度を、前記第２の複写倍率に対応する速度に低減するよう前記設定動作を行う制御装置と、
前記光電変換装置により得られた画像信号に対応する画像を像担持体に静電的に記録する露光装置と、
この露光装置により像担持体に形成された静電像を現像する現像装置と、
を有する画像形成装置。
【請求項４】
前記増幅装置は、前記光電変換手段から前記画像光に対応する画像信号が出力された直後の画像信号の増幅ゲインを変更することを特徴とする請求項１ないし３のいづれかに記載の画像形成装置。
【請求項５】
前記制御装置は、前記入力装置により設定された倍率が１００％を越え、直前の複写動作に対して前記入力装置により設定された倍率が１００％を越えている場合であって、直前の複写動作に対して前記入力装置により設定された倍率と同じ倍率である場合は、前記設定動作を実行しないことを特徴とする請求項１記載の画像形成装置。
【請求項６】
前記制御装置は、前記入力装置により設定された倍率が１００％を越え、直前の複写動作に対して前記入力装置により設定された倍率が１００％を越えている場合であって、直前の複写動作に対して前記入力装置により設定された倍率と同じ倍率である場合は、前記設定動作を実行しないことを特徴とする請求項２または３のいづれかに記載の画像形成装置。
【請求項７】
前記照明装置は、ハロゲンランプを含むことを特徴とする請求項１ないし３のいづれかに記載の画像形成装置。
【請求項８】
原稿画像を照明する照明装置と、
この照明装置を原稿画像に沿って、移動する照明装置移動機構と、
前記照明装置により原稿画像を照明して得られる画像光を所定倍率で結像する結像レンズ系と、
この結像レンズ系により得られた画像光を受光して、受光した画像光の光強度に対応する画像信号を出力する光電変換装置と、
この光電変換装置が出力する前記画像信号を増幅する増幅装置と、
読取倍率を設定する入力装置と、
この入力装置により設定される複写倍率が第１の複写倍率である場合は前記照明装置が放射する光の光強度を第１の光強度にし、かつ前記増幅装置のゲインを第１のゲインに設定することによって前記画像信号を所定の大きさにし、前記入力装置により設定される複写倍率が前記第１の複写倍率よりも大きい第２の複写倍率である場合は前記照明装置が放射する光の光強度を前記第１の光強度よりも小さい第２の光強度にし、かつ前記増幅装置のゲインを前記第１のゲインよりも大きい第２のゲインに設定することによって前記画像信号を前記所定の大きさにするとともに、前記照明装置移動機構が前記照明装置を移動する速度を、前記第２の複写倍率に対応する速度に低減するよう前記設定動作を行う制御装置と、
を有する画像読取装置。
【請求項９】
原稿画像を照明する照明装置と、
この照明装置を原稿画像に沿って、移動する照明装置移動機構と、
前記照明装置により原稿画像を照明して得られる画像光を所定倍率で結像する結像レンズ系と、
この結像レンズ系により得られた画像光を受光して、受光した画像光の光強度に対応する画像信号を出力する光電変換装置と、
この光電変換装置が出力する前記画像信号を増幅する増幅装置と、
読取倍率を設定する入力装置と、
この入力装置により設定された読取倍率が１００％を越えない第１の複写倍率である場合は前記照明装置が放射する光の光強度を第１の光強度にし、かつ前記増幅装置のゲインを第１のゲインに設定することによって前記画像信号を所定の大きさにし、前記入力装置により設定される複写倍率が前記第１の複写倍率よりも大きい第２の複写倍率である場合は前記照明装置が放射する光の光強度を前記第１の光強度よりも小さい第２の光強度にし、かつ前記増幅装置のゲインを前記第１のゲインよりも大きい第２のゲインに設定することによって前記画像信号を前記所定の大きさにするとともに、前記照明装置移動機構が前記照明装置を移動する速度を、前記第２の複写倍率に対応する速度に低減するよう前記設定動作を行う制御装置と、
を有する画像読取装置。
【請求項１０】
原稿画像を照明する照明装置と、
この照明装置を原稿画像に沿って、移動する照明装置移動機構と、
前記照明装置により原稿画像を照明して得られる画像光を所定倍率で結像する結像レンズ系と、
この結像レンズ系により得られた画像光を受光して、受光した画像光の光強度に対応する画像信号を出力する光電変換装置と、
この光電変換装置が出力する前記画像信号を増幅する増幅装置と、
読取倍率を設定する入力装置と、
この入力装置により設定された読取倍率が１００％を越えない第１の複写倍率である場合は前記照明装置が放射する光の光強度を第１の光強度にすることによって前記画像信号を所定の大きさにし、前記入力装置により設定される複写倍率が前記第１の複写倍率よりも大きい第２の複写倍率である場合は設定された複写倍率を複数の段階に区分して得られるステップに応じて前記照明装置が放射する光の光強度を複写倍率が大きくなるにつれて光強度が少なくなるように低減し、かつ前記増幅装置のゲインを前記ステップ毎に次第に増大することによって前記画像信号を前記所定の大きさにするとともに、前記照明装置移動機構が前記照明装置を移動する速度を、前記第２の複写倍率に対応する速度に低減するよう前記設定動作を行う制御装置と、
を有する画像読取装置。
【発明の詳細な説明】
【０００１】
【発明の属する技術分野】
この発明は、対象物の画像を光の明暗変化パターンとして光学的に読み取り、読み取った画像情報に基づいて画像を複写する画像形成装置に関する。
【０００２】
【従来の技術】
画像形成装置、例えば静電複写プロセスが利用されるディジタル複写装置は、複写対象物を照明して得られる複写対象物の反射光の明暗パターンを画像情報として取り込み光電変換して画像信号に変換して出力する画像読取部と画像読取部で得られた画像信号に対応する画像を形成する画像形成部とを有し、画像読取部の光電変換素子すなわちＣＣＤセンサにより複写対象物の画像を光の明暗に対応する画像信号に変換し、この画像信号に対応する光を用いて感光体に潜像を形成し、この潜像にトナーを供給して現像することで、複写対象物の画像を複写するものである。
【０００３】
感光体は、例えば円筒状に形成されたアルミニウムの外周に、無機または有機の感光体の薄層を形成したものが利用される。この感光体に画像情報を露光することで静電潜像が形成される。
【０００４】
静電潜像は、可視化材であるトナーをトナーと静電潜像との間の静電力により感光体上に選択的に付着させる方法により現像されてトナー像に変換される。
このようにして得られたトナー像は、感光体の外周面の移動速度と等しい速度で供給される転写材に静電的に転写され、トナー像が加熱されて溶融した状態で加圧されることで転写材に固着される。
【０００５】
また、画像読取部は、ＣＣＤセンサに加えて、複写対象物としての原稿を保持する板状のガラスに沿って移動可能に形成され、原稿の画像を順次照明する照明装置と、照明装置からの照明光により照明された原稿からの反射光すなわち画像光を取り出すミラーと、ミラーにより取出された画像光を所定倍率で縮小する結像レンズを有し、上述したＣＣＤセンサに原稿の画像情報を光の明暗として伝達する。なお、照明装置としては、例えば長寿命かつ発生光量が多く、しかも光量の時間的変化もほとんどないハロゲンランプが広く利用されている。
【０００６】
【発明が解決しようとする課題】
しかしながら、ハロゲンランプは、点灯時に高い温度の熱を発生することから、複写動作を所定時間以上連続した場合に、原稿を保持するガラスの温度あるいは画像読取部内部および画像形成装置内部の温度が著しく上昇される。
【０００７】
この温度の上昇は、原稿ガラスのガラス割れ、制御回路として利用されるＩＣ（集積回路）の誤動作等を引き起こす問題がある。また、安全規格上も、ガラスの温度上昇により利用者がやけどを負わないことすなわち最高温度に制限が設定されている。
【０００８】
このため、多くの複写装置においては、原稿ガラスの温度上昇を抑えるために原稿ガラスの近傍に冷却ファンが取付けられている。
しかしながら、複写倍率が大きな拡大複写が連続された場合、原稿画像が読み取られる領域が狭くなり、またキャリッジ（ランプ）の動作速度も遅くなるため、ガラスの一部分（端部）の温度がさらに高温となる問題がある。
【０００９】
なお、上述した要因によりガラスの温度が規定値を越えた場合、現時点では、ガラスの温度が規定値内に収まるまで、複写速度を低下させる等の強制的な冷却制御が実施される。この場合、所定枚数の複写が終了するまでに要求される時間が増大される問題がある。
【００１０】
一方、より大型の冷却ファンを搭載して冷却効率を向上する場合には、装置のコストが増大するのみならず、最大通過電流（消費電力）が上昇し、配電設備の容量にまで影響する虞れがある。
この発明の目的は、原稿ガラスの温度の上昇を抑制可能な複写装置を提供することにある。
【００１１】
【課題を解決するための手段】
この発明は、上記問題点に基づきなされたもので、原稿画像を照明して得られる画像光を所定倍率で結像する結像レンズ系と、この結像レンズ系により得られた画像光を受光して、受光した画像光の光強度に対応する画像信号を出力する光電変換装置と、この光電変換装置が出力する前記画像信号を増幅する増幅装置と、原稿画像を照明する照明装置と、この照明装置を原稿画像に沿って、移動する照明装置移動機構と、複写倍率を設定する入力装置と、この入力装置により設定された複写倍率が第１の複写倍率である場合には、前記照明装置が放射する光の光強度を第１の光強度にし、かつ前記増幅装置のゲインを第１のゲインに設定することによって前記画像信号を所定の大きさにし、前記入力装置により設定される複写倍率が前記第１の複写倍率よりも大きい第２の複写倍率である場合には前記照明装置が放射する光の光強度を前記第１の光強度よりも小さい第２の光強度にし、かつ前記増幅装置のゲインを前記第１のゲインよりも大きい第２のゲインに設定することによって前記画像信号を前記所定の大きさにするとともに、前記照明装置移動機構が前記照明装置を移動する速度を、前記第２の複写倍率に対応する速度に低減するよう設定動作を行う制御装置と、前記光電変換装置により得られた画像信号に対応する画像を像担持体に静電的に記録する露光装置と、この露光装置により像担持体に形成された静電像を現像する現像装置と、を有する画像形成装置を提供するものである。
【００１２】
またこの発明は、原稿画像を照明して得られる画像光を所定倍率で結像する結像レンズ系と、この結像レンズ系により得られた画像光を受光して、受光した画像光の光強度に対応する画像信号を出力する光電変換装置と、この光電変換装置が出力する前記画像信号を増幅する増幅装置と、原稿画像を照明する照明装置と、この照明装置を原稿画像に沿って、移動する照明装置移動機構と、複写倍率を設定する入力装置と、この入力装置により設定された複写倍率が１００％を越えない第１の複写倍率である場合は前記照明装置が放射する光の光強度を第１の光強度にし、かつ前記増幅装置のゲインを第１のゲインに設定することによって前記画像信号を所定の大きさにし、前記入力装置により設定される複写倍率が前記第１の複写倍率よりも大きい第２の複写倍率である場合は前記照明装置が放射する光の光強度を前記第１の光強度よりも小さい第２の光強度にし、かつ前記増幅装置のゲインを前記第１のゲインよりも大きい第２のゲインに設定することによって前記画像信号を前記所定の大きさにするとともに、前記照明装置移動機構が前記照明装置を移動する速度を、前記第２の複写倍率に対応する速度に低減するよう前記設定動作を行う制御装置と、前記光電変換装置により得られた画像信号に対応する画像を像担持体に静電的に記録する露光装置と、この露光装置により像担持体に形成された静電像を現像する現像装置と、を有する画像形成装置を提供するものである。
【００１３】
さらにこの発明は、原稿画像を照明して得られる画像光を所定倍率で結像する結像レンズ系と、この結像レンズ系により得られた画像光を受光して、受光した画像光の光強度に対応する画像信号を出力する光電変換装置と、この光電変換装置が出力する前記画像信号を増幅する増幅装置と、原稿画像を照明する照明装置と、この照明装置を原稿画像に沿って、移動する照明装置移動機構と、複写倍率を設定する入力装置と、この入力装置により設定された複写倍率が１００％を越えない第１の複写倍率である場合は前記照明装置が放射する光の光強度を第１の光強度にすることによって前記画像信号を所定の大きさにし、前記入力装置により設定される複写倍率が前記第１の複写倍率よりも大きい第２の複写倍率である場合は設定された複写倍率を複数の段階に区分して得られるステップに応じて前記照明装置が放射する光の光強度を複写倍率が大きくなるにつれて光強度が少なくなるように低減し、かつ前記増幅装置のゲインを前記ステップ毎に次第に増大することによって前記画像信号を前記所定の大きさにするとともに、前記照明装置移動機構が前記照明装置を移動する速度を、前記第２の複写倍率に対応する速度に低減するよう前記設定動作を行う制御装置と、前記光電変換装置により得られた画像信号に対応する画像を像担持体に静電的に記録する露光装置と、この露光装置により像担持体に形成された静電像を現像する現像装置と、を有する画像形成装置を提供するものである。
【００１４】
またさらにこの発明は、入力装置により設定された倍率が１００％を越え、直前の複写動作に対して前記入力装置により設定された倍率が１００％を越えている場合であって、直前の複写動作に対して前記入力装置により設定された倍率と同じ倍率である場合は、前記設定動作を実行しないことを特徴とする。
【００１５】
さらにまたこの発明は、原稿画像を照明する照明装置と、この照明装置を原稿画像に沿って、移動する照明装置移動機構と、前記照明装置により原稿画像を照明して得られる画像光を所定倍率で結像する結像レンズ系と、この結像レンズ系により得られた画像光を受光して、受光した画像光の光強度に対応する画像信号を出力する光電変換装置と、この光電変換装置が出力する前記画像信号を増幅する増幅装置と、読取倍率を設定する入力装置と、この入力装置により設定される複写倍率が第１の複写倍率である場合は前記照明装置が放射する光の光強度を第１の光強度にし、かつ前記増幅装置のゲインを第１のゲインに設定することによって前記画像信号を所定の大きさにし、前記入力装置により設定される複写倍率が前記第１の複写倍率よりも大きい第２の複写倍率である場合は前記照明装置が放射する光の光強度を前記第１の光強度よりも小さい第２の光強度にし、かつ前記増幅装置のゲインを前記第１のゲインよりも大きい第２のゲインに設定することによって前記画像信号を前記所定の大きさにするとともに、前記照明装置移動機構が前記照明装置を移動する速度を、前記第２の複写倍率に対応する速度に低減するよう前記設定動作を行う制御装置と、を有する画像読取装置を提供するものである。
【００１６】
またさらにこの発明は、原稿画像を照明する照明装置と、この照明装置を原稿画像に沿って、移動する照明装置移動機構と、前記照明装置により原稿画像を照明して得られる画像光を所定倍率で結像する結像レンズ系と、この結像レンズ系により得られた画像光を受光して、受光した画像光の光強度に対応する画像信号を出力する光電変換装置と、この光電変換装置が出力する前記画像信号を増幅する増幅装置と、読取倍率を設定する入力装置と、この入力装置により設定された読取倍率が１００％を越えない第１の複写倍率である場合は前記照明装置が放射する光の光強度を第１の光強度にし、かつ前記増幅装置のゲインを第１のゲインに設定することによって前記画像信号を所定の大きさにし、前記入力装置により設定される複写倍率が前記第１の複写倍率よりも大きい第２の複写倍率である場合は前記照明装置が放射する光の光強度を前記第１の光強度よりも小さい第２の光強度にし、かつ前記増幅装置のゲインを前記第１のゲインよりも大きい第２のゲインに設定することによって前記画像信号を前記所定の大きさにするとともに、前記照明装置移動機構が前記照明装置を移動する速度を、前記第２の複写倍率に対応する速度に低減するよう前記設定動作を行う制御装置と、を有する画像読取装置を提供するものである。
【００１７】
さらにまたこの発明は、原稿画像を照明する照明装置と、この照明装置を原稿画像に沿って、移動する照明装置移動機構と、前記照明装置により原稿画像を照明して得られる画像光を所定倍率で結像する結像レンズ系と、この結像レンズ系により得られた画像光を受光して、受光した画像光の光強度に対応する画像信号を出力する光電変換装置と、この光電変換装置が出力する前記画像信号を増幅する増幅装置と、読取倍率を設定する入力装置と、この入力装置により設定された読取倍率が１００％を越えない第１の複写倍率である場合は前記照明装置が放射する光の光強度を第１の光強度にすることによって前記画像信号を所定の大きさにし、前記入力装置により設定される複写倍率が前記第１の複写倍率よりも大きい第２の複写倍率である場合は設定された複写倍率を複数の段階に区分して得られるステップに応じて前記照明装置が放射する光の光強度を複写倍率が大きくなるにつれて光強度が少なくなるように低減し、かつ前記増幅装置のゲインを前記ステップ毎に次第に増大することによって前記画像信号を前記所定の大きさにするとともに、前記照明装置移動機構が前記照明装置を移動する速度を、前記第２の複写倍率に対応する速度に低減するよう前記設定動作を行う制御装置と、を有する画像読取装置を提供するものである。
【００１８】
【発明の実施の形態】
以下、図面を用いてこの発明の実施の形態を説明する。
図１に示されるように、画像形成装置すなわちデジタル複写装置２は、原稿画像に対応する画像情報を読み取るスキャナ部４と、このスキャナ部４で読み取られた画像データに対応する画像を形成し、記録用紙に出力するプリンタ部６を有している。
【００１９】
スキャナ部４は、読み取り対象としての原稿Ｄが載置されるすなわち原稿Ｄを保持する原稿ガラス２０、この原稿ガラス２０に対して開閉可能に形成され、原稿ガラス２０に載置された原稿を原稿ガラス２０に密着させる原稿押さえ２２を有している。
【００２０】
原稿ガラス２０の一端部には、原稿ガラス２０に原稿Ｄをセットする際に、原稿Ｄをセットすべき第１の方向の位置（倍率基準位置）を指示するとともに、原稿Ｄの第１の方向と直交する第２の方向の基準（先端）位置を規定するための原稿指示板２４が配置されている。なお、原稿指示板２４は、原稿ガラス２０に原稿Ｄを載置すべき位置を報知する原稿インジケータ２６（図７を用いて詳述する）を一体に有している。
【００２１】
原稿指示板２４の側方下部には、以下に説明する照明ランプから発生する熱によるスキャナ部４および原稿ガラス２０の温度上昇を所定範囲内に抑えるための冷却ファン２８が設けられている。
【００２２】
原稿ガラス２０の下方すなわちプリンタ部６の内側には、原稿ガラス２０に概ね平行、かつ原稿ガラス２０に沿って移動可能に形成され、原稿画像を光の明暗として取り出す第一キャリッジ３０、第一キャリッジ３０に従動し、第一キャリッジ３０によって取り出された原稿画像すなわち原稿からの反射光を以下に説明する感光体ドラムに伝達する第二キャリッジ４０が設けられている。なお、第一キャリッジ３０は、スキャンモータ３８により、複写倍率に対応する所定の速度で、移動される。
【００２３】
第一キャリッジ３０には、原稿ガラス２０にセットされている原稿Ｄを原稿ガラス２０の下方から照明する照明ランプ（ハロゲンランプ）３２、ハロゲンランプ３２からの光により照明された原稿Ｄからの反射光の一部を遮光するスリット３４、スリット３４を通過した原稿Ｄからの反射光すなわち画像光を、第二キャリッジ４０へ向かって反射させる第１ミラー３６が配置されている。
【００２４】
第二キャリッジ４０には、第１ミラー３６により反射されて伝達された画像光を９０°折り返す第２ミラー４２および第２ミラー４２で折り返された画像光をさらに９０°折り返す第３ミラー４４が配置されている。
【００２５】
第一キャリッジ３０の下方であって、第３ミラー４４で折り返された画像光が案内される面内には、画像光に、図示しない操作パネルから入力された複写倍率に対応する集束性を与える結像レンズ４５、結像レンズ４５を通過された画像光を受光して光電変換するＣＣＤセンサ４６が配置されている。
【００２６】
ＣＣＤセンサ４６は、画像光を光電変換して、図示しない画像メモリに、原稿画像に対応する画像信号を供給する。なお、図示しない画像メモリに記憶された原稿画像の画像信号は、感光体ドラムにレーザビーム（露光光）を照射する露光ユニット４８により、画像信号に対応して強度変調されたレーザビームの強度の変化に変換され、感光体ドラムへの潜像の形成に利用される。
【００２７】
プリンタ部６の概ね中央には、露光ユニット４８からのレーザビームにより、画像情報に対応する静電潜像が形成される感光体ドラム５０が配置されている。感光体ドラム５０は、図示しないモータにより所定の速度で矢印の方向に回転される。
【００２８】
感光体ドラム５０の周囲には、感光体ドラム５０が回転される方向に沿って、ドラム５０に所定の電荷を帯電させる帯電装置５２、図２に示す操作パネル９０から入力された用紙サイズあるいは画像形成倍率に対応する画像形成領域の外側に相当する感光体ドラム５０上の電荷を消去する消去ＬＥＤ５４、感光体ドラム５０に形成された潜像にトナーを供給して現像する現像装置５６、感光体ドラム５０上に現像装置５６により形成されたトナー像（トナー）を用紙に転写させるとともにトナー像が転写される際に感光体ドラム５０に吸着された用紙を感光体ドラム５０から分離させるための転写分離装置５８、及び、感光体ドラム５０の表面に残ったトナーをかき落とすとともに、同ドラム５０の表面に残った電荷を除去するクリーニング除電装置６０などが順に配置されている。
【００２９】
感光体ドラム５０が回転される方向であって、現像装置５６により現像されたトナー像が感光体ドラム５０の回転によって搬送される方向の上流側に対応する位置には、所定のサイズの記録用紙（被転写材）を収容可能に形成されるとともに自身が収容している記録用紙のサイズを表示する図示しないサイズ表示機構を有する用紙カセットＣｎ・・・が挿入される第１，第２，第３のスロット６２ａ，６２ｂおよび６２ｃが形成されている。
【００３０】
各スロット６２ａ〜６２ｃには、カセットＣｎ・・・に収容されている用紙のサイズに対応して設定された図示しないサイズ表示に基づいてカセットＣｎ・・・に収容されている記録用紙の大きさを、図示しない入力制御部に報知する第１ないし第３のサイズ検知センサ６４ａ，６４ｂおよび６４ｃが配置されている。
【００３１】
また、第１のスロット６２ａの上方右側には、定型以外の記録材料を給送可能とする手差通路６６が形成されている。手差通路６６には、用紙が搬送される方向に対して通路に案内される用紙が傾くことを防止する用紙ガイド６６ａが配置されている。用紙ガイド６６ａは、用紙のサイズ（幅）に合わせて移動可能、かつ、用紙ガイド６６ａの位置を検知することで手差通路５３に挿入される用紙の大きさ（幅）を検出する図示しない用紙センサに対して、用紙の大きさの入力可能に、形成されている。
【００３２】
感光体ドラム５０と各スロット６２ａ，６２ｂ，６２ｃの間には、それぞれのスロット６２ａ，６２ｂ，６２ｃに対応して配置され、各スロットに挿入されたカセットＣｎ・・・のそれぞれから用紙を１枚ずつ引出す給紙ローラ６８ａ，６８ｂおよび６８ｃ、給紙ローラ６８ａ，６８ｂおよび６８ｃのいづれかを介して引出された用紙を感光体ドラム５０にへ向けて送出する搬送ローラ７０ａ，７０ｂおよび７０ｃ、搬送ローラ７０ａ，７０ｂおよび７０ｃのいづれかにより感光体ドラム５０へ向けられる用紙を一時的に停止することにより用紙が搬送される方向に対する用紙の傾きを補正するとともに、感光体ドラム５０上のトナー像の先端と用紙の先端とを整合させて感光体ドラム５０の表面が移動される速度と等しい速度で用紙を送り出すアライニングローラ７２が配置されている。なお、手差通路６６から供給される用紙は、搬送ローラ７０ａに向けて案内される。
【００３３】
アライニングローラ７２の近傍には、アライニングローラ７２を介して用紙を停止させるために、搬送されている用紙の先端を検知するアライニングスイッチ７２ａが配置されている。
【００３４】
感光体ドラム５０の回転方向下流に対応する位置には、感光体ドラム５０上に形成されたトナー像が転写され、トナーが静電的に付着している状態の用紙を搬送する搬送べルト７４、ローラ表面が互いに圧接されたヒートローラ対を含み、ローラ間を用紙が通過される際に用紙に転写されたトナーを加熱しながら用紙を加圧することで用紙に定着させる定着装置７６およびトナー像が定着された用紙を複写装置本体１０の外部の排紙トレイ８０ヘ向かって排出させる排紙ローラ７８が配置されている。
【００３５】
排紙ローラ７８の近傍には、定着装置７６と排紙ローラ７８の間に用紙が存在するか否かを検知する排紙スイッチ７８ａが配置されている。排紙スイッチ７８ａは、用紙の後端を検知することで、現在搬送されている用紙に対する画像形成の終了および定着装置７６あるいはその近傍での用紙の詰まり（ジャム）を検知する。
【００３６】
図２は、図１に示した複写装置２に適用される制御回路の一例を示すもので、スキャナ部４にかかわる主要な制御ブロックを示す概略ブロック図である。
複写装置２すなわちスキャナ部４およびプリンタ部６は、主制御装置としてのＣＰＵ１００の制御により、所定の動作が実施される。
【００３７】
ＣＰＵ１００には、スキャナ部４およびプリンタ部６のそれぞれを独立にあるいは連動して動作させるために必要なさまざまな制御データなどが書き込まれているＲＯＭ（読取り専用メモリ）１００ａと、操作パネル９０により入力される複写枚数および複写倍率などの数値データが一時的に記憶されるＲＡＭ（ランダムアクセスメモリ）１００ｂが一体的に設けられ、装置２への通電が遮断された場合であっても、それまでに記憶されたデータが消失することのないＮＶＭ（不揮発性メモリ）１０１が接続されている。なお、ＲＯＭ１００ａおよびＲＡＭ１００ｂのそれぞれは、ＣＰＵ１００と別体に設けられてもよい。
【００３８】
また、ＣＰＵ１００には、スキャンモータ３８を、操作パネル９０から入力された複写倍率に対応する速度で回転させるスキャンモータ制御部１１１、ＣＣＤセンサ４６から出力されたアナログ信号を所定の大きさまで増幅するアンプ回路部１１２、アンプ回路部１１２により増幅されたＣＣＤセンサ４６の出力信号をデジタル信号に変換するＡ／Ｄ変換部１１３、Ａ／Ｄ変換部１１３から出力された画像信号に、プリンタ部６の露光装置４８が出力する露光光（レーザビーム）として利用するための所定の画像処理を施す画像処理部１１４、ハロゲンランプ３２が放射する照明光の光強度を設定するランプレギュレータ１１５等が、接続されている。
【００３９】
次に、図１および図２に示したこの発明の複写装置２の複写動作について簡単に説明する。
図１に示した原稿ガラス２０上に、原稿指示板２４により表示される所定の位置にセットされた複写対象物すなわち原稿Ｄは、原稿押さえ２２により、原稿ガラス２０に密着される。
【００４０】
次に、操作パネル９０による複写枚数の入力、複写倍率あるいは用紙サイズの選択、両面複写または編集機能に対応する動作モードの設定等の動作条件の入力に続いて、スキャナ部４による原稿画像の読取に先だって、原稿支持板２４の背面すなわち原稿ガラス２０の内側であって、第一キャリッジ３０の近傍に位置されている図示しない白基準板および黒基準板からの反射光の光強度に基づいて、ＣＣＤセンサ４６のスレショルドレベルが校正される。
【００４１】
以下、図示しないプリントキーがオンされることで、ハロゲンランプ３２が点灯され、操作パネル９０から入力された複写倍率に応じたスキャンモータ３８の回転により所定速度で移動される第一キャリッジ３０のハロゲンランプ３２から照明されることにより、原稿ガラス２０に密着された原稿Ｄの画像情報が光の明暗である反射光に変換される。この反射光すなわち画像光は、スリット３４で所定光量に制限されたのち、第１ミラー３６、第２ミラー４２および第３ミラー４４により順に反射され、結像レンズ４５を通って所定の倍率で、ＣＣＤセンサ４６に案内される。
【００４２】
ＣＣＤセンサ４６に案内された原稿Ｄからの反射光（画像光）は、光量に対応するアナログ信号に光電変換され、アンプ回路部１１２で所定のレベルまで増幅されたのち、Ａ／Ｄ変換部１１３でデジタル信号に変換されて、図示しない画像メモリに画像信号として記憶される。
【００４３】
画像メモリに記憶された画像信号は、プリンタ部６における複写（画像形成）動作が開始されるまで保持され、画像形成の開始とともに画像処理部１１４で所定の画像処理が施されて、露光装置４８に出力され、帯電装置５２からのコロナ放電により予め所定の表面電位に帯電され、消去ＬＥＤ５４により画像形成領域以外の領域の電荷が消去された感光体ドラム５０の所定位置に露光光（レーザ）として照射され、感光体ドラム５０により、静電潜像に変換される。
【００４４】
この静電潜像は、現像装置５６から供給されるトナーにより現像され、転写装置５８により、トナー像として用紙に転写される。
トナー像が転写された用紙は、搬送装置７４により定着装置７６に搬送され、定着装置７６から提供される熱によりトナー像すなわちトナーが固着され、用紙反転部または装置２の外部へ案内される。
【００４５】
転写装置５８によりトナー像が用紙に転写され、一部の転写残りトナーを保持した状態の感光体ドラム５０は、クリーニング装置６０により、転写残りトナーおよび表面に残った残存電荷が除去され、引き続き、次の画像形成に利用される。
【００４６】
なお、複写枚数が２以上の場合あるいは次の原稿が供給された場合には、上記一連の複写動作が繰り返される。
ところで、ハロゲンランプ３２が放射する光すなわち露光量は、複写装置２が組み立てられる際に適正値に調整されると、その後ハロゲンランプ３２の寿命で光量が低下するまで再設定されることはない。また、光量に対するフィードバック回路が設けてあるものに関しては、ハロゲンランプ３２が寿命に達するまで、光量を一定に保つよう制御される。
【００４７】
これとは別に、ハロゲンランプ３２からの光により照明された原稿からの反射光は、ＣＣＤセンサ４６により微量の電荷に変換される。ＣＣＤセンサ４６から出力される微量の電荷は、アンプ回路部１１２により増幅されるが、アンプ回路部１１２の増幅倍率（ゲイン）は、電源投入時のピーク検出（スレショルドレベルの校正）で設定されたまま実質的に固定される。すなわち、ハロゲンランプが放射する光は、ほとんど光量変化がないため、アンプ回路部１１２のゲインは、ほぼ一定となる。
【００４８】
また、原稿の読み取り幅およびキャリッジの動作速度は、複写倍率により変化され、通常、複写倍率が小さいほど読み取り幅は広く、キャリッジの動作は速くなり、また、複写倍率が大きいほど読み取り幅は狭く、キャリッジの動作は遅くなるが、ハロゲンランプ３２が放射する光の光量は変化せず一定である。
【００４９】
すなわち、第一および第二のキャリッジ３０，４０が移動される範囲は、図３に示されるように、複写倍率が大きくなるほど狭くなり、それと同時に図４に示されるように、移動速度も遅くなるが、ハロゲンランプ３２が放射する光の強度は、変化されない。
【００５０】
より詳細には、例えば複写倍率１００％における第一キャリッジの移動速度が１２０ｍｍ／ｓであるならば、図４から、複写倍率４００％においては、同移動速度は、４分の１の３０ｍｍ／ｓになってしまう。従って、複写倍率４００％の拡大複写が繰り返された場合、原稿ガラスの一端部の温度がかなり上昇してしまうことになる。
【００５１】
図５は、上述した原稿ガラス２０の温度上昇を防止するための、拡大複写時のハロゲンランプ３２の光量制御の一例を示すグラフである。
図５に示されるように、複写倍率に合わせて、ハロゲンランプ３２が放射する光の光量（露光出力）を段階的に減少させることで、複写倍率が大きくなることにより原稿ガラス２０の特定の部分の温度が規定値よりも上昇することを抑止できる。
【００５２】
しかしながら、ＣＣＤセンサ４６から出力される出力信号レベルは、ハロゲンランプの光量に大きく左右されるため、何らかの方法で、出力信号レベルを確保する必要がある。このため、図６に示すように、アンプ回路部１１２のゲインを複写倍率に合わせて変化させて、擬似的に、ハロゲンランプ３２が放射する光の光量が常に同等の出力レベルになるように、露光量を設定する。
【００５３】
なお、アンプ回路部１１２のゲインを増大すると、ＣＣＤセンサ４６の出力にノイズが目立つようになるが、拡大複写時には、ＣＣＤセンサ４６に入射される画像光に含まれる画像情報も拡大されることによりノイズの影響を受けにくく、実用上問題となることはない。
【００５４】
図７は、図５および図６に示したハロゲンランプが放射する光の光量の制御を実施する複写動作の一例を説明するフローチャートである。
図７に示されるように、図示しない電源スイッチがオンされると、ウォームアップを含むイニシャル動作が実行され、複写装置２（スキャナ部４およびプリンタ部６）がイニシャライズされる。
【００５５】
次に、ＣＰＵ１００の制御によりランプレギュレータ１１５からの駆動電圧の供給によってハロゲンランプ３２が原稿支持板２４の背面の図示しない白基準板および黒基準板を順に照明し、それぞれの基準板からの反射光がＣＣＤセンサ４６に入射される。これにより、アンプ回路部１１２でピーク検出が行なわれる。
【００５６】
この状態で、操作パネル９０からの複写倍率、複写枚数、複写モードあるいは図示しないコピーボタンによる複写開始の入力待ち状態、
すなわち初期状態が設定される。
【００５７】
以下、倍率設定があるか否かが判断され、倍率が設定されない場合は、コピーボタンがオンされることで、コピースタートとなり、入力された複写枚数に対応する所定回数のコピー動作が繰り返されて、コピー終了となる。
【００５８】
一方、操作パネル９０により倍率が設定された場合、設定された倍率が１００％より大きいか否かが判断される。すなわち、設定された倍率が１００％を越える場合には、図４および図５に示したハロゲンランプ３２が放射する光の光量制御およびアンプ回路部１１２のゲインが設定される。なお、設定された倍率が直前の複写動作に際して設定された倍率と同一である場合には、コピーボタンによる複写開始信号の入力が可能となる。
【００５９】
これに対して、設定された倍率が１００％以下である場合には、直前の複写動作に際して設定された倍率が１００％を越えているか否かが判断される。すなわち、図４および図５に示したようなハロゲンランプ３２の制御によりアンプ回路部１１２のゲインが複写倍率毎に変更されることから、１００％を越える倍率が設定された場合には、アンプ回路部１１２のゲインを見直さないと、画像信号のレベルが変動することから、複写倍率が１００％以上に設定されたとき、および直前の複写に際して設定された倍率が１００％以上で設定されていたときには、コピーボタンがオンされることにより、コピーを開始する前に、もう一度ピーク検出が行なわれ、アンプゲインが設定される。
【００６０】
なお、複写倍率が１００％以上で、コピーが終了して設定がクリアされたときにも、ピーク検出をしてアンプゲインを設定するようにしている。
このようにして、原稿ガラス２０の一部分の温度を極度に上昇させることのある複写条件に際して、ハロゲンランプ３２が放射する光の光量を低下するとともに、ＣＣＤセンサ４６の出力信号を増幅するアンプ回路部１１２のゲインを増大することにより、ガラス２０の温度の上昇を抑制することができる。
【００６１】
【発明の効果】
以上説明したように、この発明の画像形成装置は、拡大複写時に、照明ランプ（ハロゲンランプ）が放射する光の光量を低下するとともに、光電変換装置（ＣＣＤセンサ）の出力信号を増幅するアンプ回路部ゲインを増大することにより、原稿ガラスの温度の上昇を抑制することができる。
【００６２】
これにより、原稿ガラスが割れたり、ガラス温度が安全規格で定められた規格値を越えることが防止される。
また、ガラスの温度上昇を抑えるために、複写速度を低下することが必要なくなる。
【図面の簡単な説明】
【図１】この発明の実施の形態が適用されるデジタル複写装置の一例を示す概略図。
【図２】図１に示した複写装置を制御する制御ブロックを説明する概略ブロック図。
【図３】図１に示した複写装置において、設定された複写倍率とキャリッジが移動する距離との関係を説明する概略図。
【図４】図１に示した複写装置において、設定された複写倍率とキャリッジが移動する速度との関係を説明する概略図。
【図５】図３および図４から求められる原稿ガラスの温度が上昇しやすい複写条件（設定倍率）に対する照明ランプの露光出力（光量）の関係を示すグラフ。
【図６】図５に示した照明ランプの露光出力（光量）とアンプ回路部のゲインの関係を示す概略図。
【図７】図５および図６に示したハロゲンランプが放射する光の光量の制御を実施する複写動作の一例を説明するフローチャート。
【符号の説明】
２  ・・・デジタル複写装置、
４  ・・・スキャナ部、
６  ・・・プリンタ部、
２０  ・・・原稿ガラス、
２４  ・・・原稿指示板、
２８  ・・・冷却ファン、
３０  ・・・第一キャリッジ、
３６  ・・・第１ミラー、
３８  ・・・スキャナモータ、
４５  ・・・結像レンズ、
４６  ・・・ＣＣＤセンサ、
４８  ・・・露光ユニット、
５０  ・・・感光体ドラム、
９０  ・・・操作パネル、
１００  ・・・ＣＰＵ、
１００ａ・・・ＲＯＭ、
１００ｂ・・・ＲＡＭ、
１０１  ・・・ＮＶＭ、
１１１  ・・・スキャンモータ制御部、
１１２  ・・・アンプ回路部、
１１３  ・・・Ａ／Ｄ変換部、
１１４  ・・・画像処理部、
１１５  ・・・ランプレギュレータ。
【図１】
0004021537.tif 000002
【図２】
0004021537.tif 000003
【図３】
0004021537.tif 000004
【図４】
0004021537.tif 000005
【図５】
0004021537.tif 000006
【図６】
0004021537.tif 000007
【図７】
0004021537.tif 000008